【手続補正書】
【提出日】平成22年9月2日(2010.9.2)
【手続補正１】
【補正対象書類名】特許請求の範囲
【補正対象項目名】全文
【補正方法】変更
【補正の内容】
【特許請求の範囲】
【請求項１】
複数枚を縦横に列設して室内の天井を形成する四角形状の天井板にあって、
主板部の角部に、開口部を備えると共に、
透光性を有し、該開口部に設けられて、該開口部を下方から遮蔽する照明カバーと、該照明カバー上に配設される発光源とを具備する照明装置を備えてなり、
水平方向へ回動変換することにより、前記照明装置を備える角部を位置変換して配設可能であることを特徴とする照明装置付き天井板。
【請求項２】
照明装置が設けられた角部を互いに隣接するように列設することにより、複数の照明装置が相互に組み合わされた複合照明形態を天井に生成するものである請求項１に記載の照明装置付き天井板。
【請求項３】
照明装置が、主板部の一つの角部に配設され、照明カバーの形態を当該角部の外方を指し示す形態としてなるものとし、
この照明装置が設けられた角部を特定方向に位置させることにより誘導表示として用いるものである請求項１に記載の照明装置付き天井板。
【請求項４】
複数枚を縦横に列設して室内の天井を形成する四角形状の天井板に設けられる照明装置であって、
天井板の主板部の角部に形成された開口部を、下方から遮蔽するように配設される透光性を有する照明カバーと、該照明カバー上に配設される発光源とを具備することを特徴とする照明装置。
【手続補正２】
【補正対象書類名】明細書
【補正対象項目名】全文
【補正方法】変更
【補正の内容】
【発明の詳細な説明】
【発明の名称】照明装置付き天井板および照明装置
【技術分野】
【０００１】
本発明は、複数枚を縦横に列設することにより室内の天井を形成する四角形状の天井板に、所定の照明装置が配設された照明装置付き天井板に関するものである。
【背景技術】
【０００２】
例えば、図１９に示すように、天井板９は、格子状に組み付けられた天井板用吊持杆ｆに、一区画毎に多数枚が縦横に列設して支持されて、室内の天井を構成するものである。ここで、天井板用吊持杆ｆは、断面がほぼ逆Ｔ字状をなし、その下端に天井板９の側縁を支持する支持部ｇと、その上端にハンガーｊが固着される係止部ｉとを備え、格子状に組み付けられることで、天井板９の四辺を成す各側縁を各支持部ｇにより支持するようにした構成が一般的である（例えば、特許文献１）。
【０００３】
また、このように複数の天井板から構成される天井にあっては、一部天井板に照明装置が取り付けられ、該照明装置が設置されるようになっている。
【特許文献１】特開２００２−２８５６７５号公報（図１７参照）
【発明の開示】
【発明が解決しようとする課題】
【０００４】
ところで、上述したように一部天井板に照明装置が取り付けられる構成にあって、比較的広い室内には、複数枚の天井板に亘って比較的大きな照明装置が設けられる。そして、この照明装置は、複数枚の天井板に亘って形成された開口から臨むように配設される場合が在る。ここで、照明装置を取り付ける複数枚の天井板には、該照明装置の形状に応じて夫々特有形状の開口が形成される。そして、この特有形状の開口は、室内の広さや照明装置の設置位置に応じて、各天井板毎に形成される形状が異なることとなる。このため、この特有形状の開口を予め天井板の生産工場等で形成する場合には、天井板の生産工程が繁雑化してしまう。さらに、天井の形成作業時に、特有形状の開口を夫々有する複数の天井板を予め定められた方向性と順序とにしたがって正確に列説することが必要となっていた。一方、天井を形成する作業現場で、複数枚の天井板に特有形状の開口を形成する場合には、照明装置の形状に直接合わせるようにして作業が行われることから、当該作業現場が繁雑化すると共に、作業効率もよくなかった。
【０００５】
一般的に、比較的広い室内空間を複数有する建築物にあっては、各室内空間の広さに応じて照明装置の大きさや設置位置を夫々変える必要がある。また、各室内空間を夫々異なるイメージとなるように様々な照明装置が設置される場合もある。そして、照明装置の設置位置やその形状に応じて、上記した特有形状の開口が形成された天井板が一層多種類必要となる。このため、天井板に夫々特有形状の開口を形成する作業や、当該天井板を設置する作業等がさらに繁雑化することとなっていた。そして、これら特有形状の開口を有する天井を設置する工事費用が増大することともなっていた。尚、照明装置に比較的標準的な形状のものを用いれば、該照明装置を設置する複数枚の天井板の成形作業や設置作業の繁雑化を抑制可能であるが、室内の明るさを充分に確保するためには、室内空間の広さに応じて照明装置の設置位置を定める必要があるため、工事作業の繁雑化抑制にも限界があった。
【０００６】
本発明は、天井形成作業の繁雑化を抑制しつつ、室内空間に応じた照明形態を生成し得る照明装置付き天井板を提案するものである。
【課題を解決するための手段】
【０００７】
本発明は、複数枚を縦横に列設して室内の天井を形成する四角形状の天井板にあって、主板部の角部に、開口部を備えると共に、透光性を有し、該開口部に設けられて、該開口部を下方から遮蔽する照明カバーと、該照明カバー上に配設される発光源とを具備する照明装置を備えてなり、水平方向へ回動変換することにより、前記照明装置を備える角部を位置変換して配設可能であることを特徴とする照明装置付き天井板である。
【０００８】
ここで、四角形状の天井板としては、例えば、正方形、長方形、平行四辺形、ひし形、台形等のように様々な形状とすることができる。尚、天井板を水平方向へ回動変換した場合に、各角部を位置変換する制限の最も少ない正方形状が好適に用い得る。また、照明装置を備える角部は、天井板の主板部の一つの角部である構成、二つの角部である構成、三つの角部である構成、四つ全部の角部である構成のいずれとすることもできる。
【０００９】
かかる構成の照明装置付き天井板にあっては、その設置位置と、当該天井板内での照明装置を備える角部の位置とに従って、天井に様々な照明形態を生成することができ得る。ここで、本発明は、照明装置を角部に配設する構成としたものであるから、当該天井板を水平方向へ回動変換して照明位置を同一板内で変化させることができるため、比較的容易に様々な照明形態を生成できることとなっている。さらに、複数枚の照明装置付き天井板を、その設置位置や、照明装置が配設された角部の板内での位置を夫々変えることによって、多彩な照明形態を生成可能であり、優れた意匠性と幅広い応用性を発揮し得る。したがって、予め照明装置付き天井板を用意しておけば、室内空間の広さや室内イメージに応じて、照明位置の設定や照明形態の変更と適宜行うことができ得る。尚、上述したように、照明装置を備えた角部を一つの角部、二つの角部、三つの角部、四つ全ての角部とする各四種類の照明装置付き天井板のなかから、複数種類を用意することにより、これらの組合せによって一層多彩な照明形態を天井に生成することもできる。
【００１０】
また、この照明装置付き天井板は、その主板部の角部に開口部を設け、該開口部を遮蔽するように照明装置を配設した構成であることから、通常の天井板を生産する工程で、開口部を形成する工程と、照明装置を取り付ける工程とを設けることにより比較的容易に生産可能である。さらに、上記したように、予め一種又は複数種類の照明装置付き天井板を用意すれば、様々な照明形態を生成可能なものであるから、比較的まとまった量を生産できることとなり得る。したがって、この照明装置付き天井板は、生産性に優れ、生産コストを充分に抑制することも可能である。尚、この照明装置の発光源としては、蛍光灯や白熱灯や発光ダイオードＬＥＤ等様々なものを用い得る。
【００１１】
また、かかる構成の照明装置付き天井板にあっては、通常の四角形状の天井板と同形状とすることができるから、通常の天井板と同様に設置することができ、設置作業を容易かつ効率的に行うことが可能である。このように生産性と作業性とが向上することから、この工事費用も低減することができ得る。
【００１２】
尚、この照明装置付き天井板は、透光性の照明カバーの上方に発光源を配設した照明装置を備えるものであるから、この照明カバーの形状を変えることにより、様々な照明形態を生成することも可能である。この形状としては、例えば、三角形状や四角形状、扇形状のように様々な形状とできる。また、照明カバーをクリア系色とすることにより、発光色を変化することも可能である。このように本発明は、照明カバーの形状を変えたり、カバー色を変えるという比較的容易に実施可能な構成改良によって、室内の照明形態を変更することができるという、優れた応用性を有するものである。
【００１３】
上述した照明装置付き天井板にあって、照明装置が設けられた角部を互いに隣接するように列設することにより、複数の照明装置が相互に組み合わされた複合照明形態を天井に生成する構成が提案される。
【００１４】
かかる構成にあって、照明装置付き天井板に設けられた照明装置は、単体ではその大きさや発光出力に限界があるが、複数の照明装置が隣接するように、当該天井板を複数配設することにより明るさを高めることができる。このように複数の照明装置が組み合わされた複合照明形態を、天井の所定位置に設けたり、複数箇所に設けることにより、室内空間の広さに応じて充分な明るさを容易に確保することができ得る。また、この複合照明形態としては、組み合わせる照明装置の個数を変えたり、隣接位置を変えることによっても、比較的容易に異なる照明形態を生成できる。
【００１５】
ここで、複合照明形態は、開口部の形状を変えることによる形態変化が、単一の照明装置に比して大きくなる。したがって、照明装置付き天井板の設置位置や設置個数に従って、室内イメージを容易に変えることが可能となる。
【００１６】
一方、上述した照明装置付き天井板にあって、照明装置が、主板部の一つの角部に配設され、照明カバーの形態を当該角部の外方を指し示す形態としてなるものとし、この照明装置が設けられた角部を特定方向に位置させることにより誘導表示として用いるものである構成が提案される。ここで、外方を指し示す形態としては、三角形状、矢印状、鏃状、楔状等の形態を用いることができ得る。
【００１７】
かかる構成にあっては、照明カバーを指し示す形態とした照明装置を、この指し示す方向へ誘導する所謂誘導灯として用い得るようにしたものである。一般的に、比較的広い室内や、様々な器具が配設されている室内にあっても、天井は比較的容易に視認することが可能である。したがって、このように天井に設けた誘導表示は、優れた誘導作用を発揮し得るものとなる。例えば、この照明装置が指し示す先を非常口とするように、照明装置付き天井板を配設することにより、災害時等にこの照明装置を発光させて、室内に居る人に非常口の位置を容易に確認させることができる。また、誘導表示として用いる照明装置は、他の照明装置と発光色を変えることによって、明確に区別化して、その誘導作用を一層高め得るようにすることが好適である。
【００１８】
ここで、この照明装置付き天井板は、複数枚を、該照明装置が特定方向へ連続するように配設することにより、その指し示す方向が強調されることとなり得ることから、誘導表示としての作用効果を一層高めることができ得る。
【００１９】
尚、本構成にあって、通常の照明として用いられる照明装置付き天井板と、上記した誘導表示として用いる照明装置付き天井板とを、それぞれ設置することも可能である。また、これら両方の照明装置を、単一の天井板の夫々異なる角部に設けた構成とすることもできる。
【００２０】
また、本発明の別の態様は、複数枚を縦横に列設して室内の天井を形成する四角形状の天井板に設けられる照明装置であって、天井板の主板部の角部に形成された開口部を、下方から遮蔽するように配設される透光性を有する照明カバーと、該照明カバー上に配設される発光源とを具備することを特徴とする照明装置である。
【発明の効果】
【００２１】
本発明の照明装置付き天井板は、四角形状の天井板の主板部の角部に、開口部を備えると共に、透光性を有し、該開口部を下方から遮蔽するように主板部に固定される照明カバーと、該照明カバー上に配設される発光源とを具備する照明装置を備えてなり、水平方向へ回動変換することにより、前記照明装置を備える角部を位置変換可能とした構成であるから、その設置位置を変えたり、照明装置が設けられた角部を回動位置変換することにより、天井に様々な照明形態を生成することができる。また、この照明装置付き天井板は、通常の天井板とほぼ同じ四角形状を成すものとできるから、天井板の設置作業を容易に行い得る。そして、室内空間の広さに応じて適宜設置位置を設定・変更することもでき、意匠性に優れた適正な照明形態を容易に生成可能である。さらにまた、この照明装置付き天井板は、いろいろな室内空間に単数又は複数設置されて様々な照明形態を生成できるものであるから、比較的まとまった数量を生産可能となり、その生産性が向上する。このように、本発明の照明装置付き天井板は、優れた設置作業性と生産性とを有し、天井を成形する工事費用を低減することも可能である。
【００２２】
ここで、照明装置が設けられた角部を互いに隣接するように列設することにより、複数の照明装置が相互に組み合わされた複合照明形態を天井に生成する構成にあっては、複数の照明装置の隣接により明るさを高めることができると共に、室内空間の広さに応じて、この複合照明形態の生成位置や生成数を設定することにより、室内に充分な明るさを確保することができる。また、照明装置の組合せ方によって、多彩な複合照明形態を生成可能である。
【００２３】
一方、照明装置が、主板部の一つの角部に配設され、照明カバーの形態を当該角部の外方を指し示す形態としてなるものとし、この照明装置が設けられた角部を特定方向に位置させることにより誘導表示として用いるものである構成にあっては、室内に居る人が比較的容易に視認可能な天井に誘導表示を設けることにより、優れた誘導作用を発揮し得るものである。
【発明を実施するための最良の形態】
【００２４】
添付図面に従って本発明の実施例を説明する。
図１は、本発明にかかる照明装置付き天井板１を四枚隣接させて、天井に複合照明形態Ａが生成された状態を表す平面図であり、図２，図３は、該照明装置付き天井板１の、照明装置１０を備えた角部５ａを表す拡大図である。ここで、照明装置付き天井板１は、略正方形状を成す主板部２と、該主板部２の四辺から上方に起立する起立縁３とを備えてなる。そして、この起立縁３には、その上端縁から夫々外側へ折曲して延出された支持側縁４が形成されている。この支持側縁４が、格子状に組まれた天井板用吊持杆ｆの支持部ｇ上に支持されることにより、当該照明装置付き天井板１が配設される（図１９参照）。ここで、主板部２の下面が、照明装置付き天井板１を配設した場合に、天井面を構成する。
【００２５】
尚、この照明装置付き天井板１の他に、これと同様に主板部や起立縁や支持側縁等を備えてなる通常の天井板９も、上記のように天井板用支持杆ｆに支持されて配設されるようになっている（図１９参照）。この通常の天井板９は、後述する照明装置１０を備えていないものである。
【００２６】
照明装置付き天井板１の主板部２には、その一つの角部５ａに、角端方向に頂点を成す三角形状の開口部６が形成されている。そして、この開口部６には、上方へ起立する開口縁７が周成されており、この開口縁７に照明装置１０が嵌入されて取り付けられるようになっている。
【００２７】
この照明装置１０は、主板部２の角部５ａに設けられた開口部６を下方から遮蔽する照明カバー１３と、該照明カバー１３上に設置される複数の発光ダイオード（以下、ＬＥＤ）１２とから構成されている。ここで、照明カバー１３は、開口部６の開口縁７に囲まれた空域に嵌入されて該開口部６を遮蔽する皿状のカバー主体部１３ａと、該カバー主体部１３ａの周縁から夫々外方へ延成され、嵌合状態で、カバー主体部１３ａの下面が主板部２の下面とほぼ面一とするように、該主板部２の上面に支持されるカバー支持部１３ｂとから構成されている。このカバー主体部１３ａは、開口部６に嵌め合わされる三角形状の底部と、その三辺から上方へ起立する側縁とからなる皿状となっており、該側縁が開口縁７に内嵌されて、開口部６を遮蔽する嵌合状態となる。そして、嵌合状態で、カバー主体部１３ａを開口部６の開口縁７に接合して固定される。また、この照明カバー１３は、ＬＥＤ１２の発光を透光する透光性材料から形成されている。本実施例では、照明カバー１３をアクリル樹脂材料から成形されたものとしている。
【００２８】
上記した照明カバー１３には、その上に、複数のＬＥＤ１２が設けられた三角形状の基板１１を支持する基盤支持体１４が配設される。この基板支持体１４は、基板１１を固定する皿状の支持主体部１４ａと、該支持主体部１４ａの周縁から外方に延成された固定縁１４ｂとから構成されている。ここで、支持主体部１４ａは、三角形状の上部と、該上部の三辺から下方へ起立する側縁とからなる皿状となっており、該側縁に囲まれた領域に基板１１が固定される。そして、この基盤支持体１４は、基板１１を固定した状態で、その固定縁１４ｂを該照明カバー１３のカバー支持部１３ｂ上に載置して、該固定縁１４ｂとカバー支持部１３ｂとを接合する。これにより、ＬＥＤ１２が配設された基板１１は、照明カバー１３と基板支持体１４とによって内包される。尚、基板支持体１４の支持主体部１４ａは、照明カバー１３のカバー主体部１３ａとほぼ同じ三角形状としたものである。
【００２９】
この照明装置１０にあって、三角形状の基板１１には、複数のＬＥＤ１２がほぼ一面に均等間隔で配設されている。そして、全てのＬＥＤ１２は、図示しないスイッチ装置を介して所定の電源装置に接続されており（図示省略）、全てのＬＥＤ１２が発光することによって、照明装置１０がその照明カバー１３の略三角形状に点灯するようになっている。尚、このＬＥＤ１２が、本発明にかかる発光源である。
【００３０】
尚、本実施例にあっては、上述した照明カバー１３は、主板部２の開口縁７に所定螺子により接合されており、この照明カバー１３に基板支持体１４が所定螺子により接合されている。さらに、基板１１は、基板支持体１４に所定螺子によって接合されている。このように螺子による接合で夫々固定されていることから、これらを解除することにより点検又は修理を容易に行うことができ得る。
【００３１】
ここで、本実施例の照明装置付き天井板１にあっては、一つの角部５ａに照明装置１０を備えてなるものであって、他の三箇所の角部５には照明装置１０は設けられていない。
【００３２】
このように照明装置１０が角部５ａに配設された照明装置付き天井板１を四枚、図１のように、互いの角部５が隣接するように設置する。これは、四枚の照明装置付き天井板１を、それぞれの角部５ａを夫々異なる四方向の位置となるように、水平方向に回動変換して設置することにより形成される。これにより、四つの三角形状の照明装置１０が組み合わされた複合照明形態Ａを生成する。そして、このように四枚の照明装置付き天井板１を一組として、所定間隔毎に設置することにより、図４のように、複合照明形態Ａが整列する天井を形成することができ得る。
【００３３】
ここで、四枚の照明装置付き天井板１からなる複合照明形態Ａは、四個の照明装置１０を一体化した、一個体の照明として存在することとなるため、比較的明るい照明となり得る。そして、室内空間の広さに応じて、この四枚の照明装置付き天井板１を設置する位置や設置数を適宜設定することによって、該室内空間に充分な明るさを確保できる。
【００３４】
尚、この照明装置付き天井板１は、上述したように、通常の天井板９と基本形状が同じであることから、設置位置や設置数が異なる場合にも容易に設置可能である。また、天井の形成作業は、照明装置付き天井板１と通常の天井板９を設置することで行い得ることから、作業性に優れ、作業効率も向上する。そして、例えば、室内空間の広さが異なる天井を形成する場合にあっては、照明装置付き天井板１と通常の天井板９を用意すれば、該照明装置付き天井板１の設置位置や設置個数を適宜設定することにより、適正な明るさの室内空間を提供することが可能である。
【００３５】
一方、上記した照明装置付き天井板１を二枚、照明装置１０を備える角部５ａ，５ａが互いに対向するように設置し、その両側には、通常の天井板９を設置することにより、図５のように、上記した複合照明形態Ａと異なる複合照明形態Ｂを生成することができる。ここで、二枚の照明装置付き天井板１は、互いの角部５ａが対角線方向の逆位置となるように、水平方向に回動変換して設置されている。尚、二枚の照明装置付き天井板１からなる複合照明形態Ｂは、上記した複合照明形態Ａに比して、その明るさが弱くなるが、設置数を増加することによって室内空間に充分な明るさを確保することが可能である。
【００３６】
このように、複数の照明装置付き天井板１の位置関係を変えることによって、様々な複合照明形態を生成することが可能である。そして、同じ照明装置付き天井板１にあっても、このように複合照明形態を変えることにより、室内イメージを変化させることもでき得る。また、上記した複合照明形態Ａと複合照明形態Ｂとを並設するように、各照明装置付き天井板１を配設することにより、室内全体としての照明イメージを変えることも可能である。したがって、照明装置付き天井板１と通常の天井板９を用意すれば、上記したように適正な明るさを確保できると共に、異なる室内イメージを提供でき得る。
【００３７】
さらに、このような照明装置付き天井板１にあっては、上述したように角部５ａの角端に頂点を成す三角形状の照明カバー１３からなる照明装置１０を配設した構成であることから、この照明カバー１３は、該頂点により角部５の外方を指し示す形態ともなっている。この照明装置付き天井板１を、その角部５ａが特定方向に位置するようにして設置する。同様に複数枚の照明装置付き天井板１を、図６のように、各角部５ａが一直線状となるようにして設置する。これにより、各照明装置付き天井板１の照明装置１０を点灯させることにより、この特定方向への所謂誘導灯として機能させることができる。例えば、照明装置付き天井板１を、非常口の存在する特定方向に、照明装置１０が配設された角部５ａを位置するようにして設置する。そして、災害等が発生した場合に、この照明装置１０を点灯させることにより、室内居る人に非常口へ誘導する誘導表示となる。ここで、この照明装置１０は、他の照明装置と異なる発光色（例えば、緑色）とし、誘導表示として認識し易くしている。
【００３８】
ここで、比較的広い室内空間や、様々な機具が置かれている室内空間にあっては、室内に居る人が、非常口の位置を見つけ難い場合もある。このため、室内に居る人が最も見渡し易い天井に誘導表示を設置することにより、この誘導表示に従って非常口までたどり付けるようにしている。したがって、この誘導表示は、室内に居る人が容易に認識でき、正確に誘導できるものであり、その誘導作用を充分に発揮し得る。
【００３９】
尚、このように誘導表示として照明装置付き天井板１を設置する場合には、主照明となる照明装置を別途設置することとなる。例えば、異なる発光色の照明装置付き天井板１を二種類用意し、一方を上記した複合照明形態Ａ，Ｂを生成するように配し、他方を誘導表示として用いるように配するようにすることもできる。
【００４０】
上述したように、照明装置付き天井板１にあっては、その主板部２の角部５ａに照明装置１０を配設した構成であるから、水平方向に回転させて該角部５を位置変換して列設することにより、天井を形成した場合に、様々な照明形態を生成することができるものである。また、この照明装置付き天井板１は、通常の天井板９とほぼ同じ正方形状であることから、任意の位置に設置することができるため、室内空間の広さに応じて随時設置位置を決めることが可能である。したがって、天井を形成する作業現場には、通常の天井板９とこの照明装置付き天井板１とを準備しておくことにより、室内空間の広さや室内イメージに応じた多彩な照明形態を生成することが可能となる。そして、この作業現場の繁雑化を緩和でき、作業効率が高まる。さらに、この照明装置付き天井板１は、いろいろな室内空間の天井に用いることができるため、比較的まとまった量を生産することが可能であり、天井板の生産工場で成形することに適している。このように作業効率の向上と生産性の向上とにより、総合的な工事費用も低減することができ得る。
【００４１】
また、上述した照明装置付き天井板１は、四角形状の一つの角部５ａに照明装置１０を配設した構成であるが、この他の構成として、図７のように、互いに対向する二つの角部５ａ，５ａに照明装置１０，１０を夫々に配設する構成の照明装置付き天井板２１とすることも可能である。これにより、例えば、天井板１の対角線方向に沿って複合照明形態Ａを複数生成することができる。同様に、照明装置１０を三つの角部５ａに夫々配設した構成や、全ての角部５ａに夫々配設した構成とすることも可能である（図示省略）。そして、このような照明装置１０の配設数が一個〜四個の各構成を夫々準備することにより、さらに様々な複合照明形態を生成することもでき、室内空間の広さや室内イメージに応じた照明形態を比較的容易に生成可能となる。
【００４２】
また、上述した照明装置付き天井板１の照明装置１０は、ＬＥＤ１２を発光源とした構成であるが、この他の構成として、図８のように、照明装置１０’に、蛍光灯１９を発光源として配設することも可能である。かかる構成にあっても、蛍光灯１９が発光することにより、照明装置１０’が三角形状に光ることとなるから、上述しＬＥＤ１２と同様の作用効果を発揮し得る。ここで、発光源としては、ＬＥＤ１２や蛍光灯２２の他にも、白熱灯等を用いることも可能である。尚、図８にあって、照明装置１０’は、上述した照明装置１０のＬＥＤ１２を、蛍光灯１９に変更した以外は同じ構成であり、同じ構成には同じ符号を記して詳細を省略した。
【００４３】
一方、上述したように三角形状の照明装置１０の他に、図９のように、主板部２の角部５ａに、扇形状の照明装置３０を配設する構成とすることもできる。この照明装置付き天井板３１を、上述と同様に、扇形状の照明装置３０が配設された角部５ａが互いに隣接するように、四枚配設することによって、複合照明形態Ｃを生成することができ得る。また、図１０のように、主板部２の角部５ａに該角部５ａの両側縁を結ぶ帯状の照明装置４０を配設した構成とすることもできる。この照明装置付き天井板４１を、同様に四枚配設することによって複合照明形態Ｄを生成することもでき得る。同様に、図１１のように、主板部２の角部５の両側縁を結ぶ円弧状の照明装置５０を配設した照明装置付き天井板５１を、同様に四枚配設することによって、複合照明形態Ｅを生成することもでき得る。これら各複合照明形態Ａ，Ｃ〜Ｅは、図１，図９〜図１１のように、それぞれ異なる照明形態となっている。
【００４４】
さらに、図１２のように、主板部２の角部５ａに、該主板部２の対角線方向に延びる線分状の照明装置６０を配設した照明装置付き天井板６１とすることもできる。これも、上述と同様に、四枚を互いの照明装置６０が隣接するように列設して複合照明形態Ｆを形成することができる。また、この照明装置６０は、角端方向へ先細った形状となっていることから、外方を指し示す形態ともなっている。したがって、この照明装置付き天井板６１を、その角部５ａが特定方向に位置するように単一又は複数配設することによって、誘導表示として用いることも可能である。
【００４５】
尚、上述した照明装置付き天井板３１，４１，５１，６１にあっても、照明装置付き天井板１と同様に、夫々二枚又は三枚を組み合わせることによって別の複合照明形態（図示省略）を生成することもでき、様々な照明形態を有する天井を形成することも可能である。また、二箇所の角部５ａ、三箇所の角部５ａ、全ての角部５ａに照明装置３０，４０，５０，６０を配設した構成として、これらを夫々組み合わせることにより、一層多彩な複合照明形態を生成することも可能である。
【００４６】
一方、上述した実施例の照明装置付き天井板１にあっては、照明装置１０が主板部２の角部５ａの両側縁から所定距離離れて配設されることとなっている（図１参照）。これは、開口部６を角部５ａの角縁に沿って形成し難いためである。そこで、図１３，１４のように、照明装置７０を、その照明カバー７３が主板部２の角部５ａの両側縁に沿うような形状とした構成とするようにしている。
【００４７】
この照明カバー７３は、図１４（イ）のように、主板部２に装着された場合に角部５ａの両側縁に沿う二辺を備え、開口部６を下方から被覆する三角形状の遮蔽部７３ａと、図１４（ロ）のように、該遮蔽部７３ａの上面から起立して、開口部６に下方から嵌入される嵌入壁部７３ｂとから構成されている。ここで、照明カバー７３の遮蔽部７３ａは、その中央領域を略水平面状とし、その周縁領域を上方へ傾斜する形状としている。このように傾斜する形状の周縁領域は、照明カバー７３上からの発光を拡散させて、照明カバー７３の遮蔽部７３ａの全領域から光が照射されるようにしたものである。この照明カバー７３は、開口部６の下方から、嵌入壁部７３ｂを該開口部６内に嵌入し、該嵌入壁部７３ｂと開口縁７とを所定の螺子により接合することによって、主板部２に固定される。尚、この嵌入壁部７３ｂは、開口縁７より高くなるように形成されている。また、開口部６を下方から被覆した照明カバー７３には、ＬＥＤ１２が配設された基板１１を備えた皿状の基板支持体７４が、開口縁７を上方から被覆するようにして主板部２上に設置されて接合される。ここで、基板支持体７４は、基板１１を固定する支持板部７４ａと、該支持板部７４ａの周縁から下方へ延成された支持壁部７４ｂとから構成されている。この支持板部７４ａは、開口部６の開口縁７を覆う略三角形状となっている。支持壁部７４ｂは、その下端が、支持板部７４ａの底面が照明カバー７３の嵌入壁部７３ｂの上端に載置された場合に、主板部２の上面に当接するように形成されている。尚、この支持壁部７４ｂには、照明カバー７３と開口縁７とを接合する螺子が接触しないように、切欠部が設けられている（図示省略）。さらに、照明カバー７３の嵌入壁部７３ｂの上端には、所定螺子孔を備えた螺子部が四箇所内側へ突成されており（図示省略）、該嵌入壁部７３ｂの上端に載置された基板支持体７４と照明カバー７３とを所定の螺子により接合するようにしている。
【００４８】
このような照明装置７０を角部５ａに備えた照明装置付き天井板７１を、図１３のように、各角部５ａが隣接するようにして四枚配設することにより、複合照明形態Ｇを形成する。この複合照明形態Ｇにあっては、上述した複合照明形態Ａ（図１参照）に比して、各照明装置７０間の隙間が狭くなることから、より一体性を増した形態となっている。さらに、図１５のように、照明カバー７３’の遮蔽部（図示省略）を、角部５ａの両側縁に沿って角端と反対方向へ延成した形状とする照明装置７０’を配設してなる照明装置付き天井板７１’とすることもできる。この照明装置付き天井板７１’から生成される複合照明形態Ｇ’は、一層四角形に近い形態となって各照明装置７０’の一体性を増したものとなっている。
【００４９】
さらにまた、上述した実施例の構成にあっては、例えば、図１４（ロ）のように、主板部２の四辺に設けられた起立縁３の支持側縁４を、天井板用吊持杆ｆの支持部ｇ上に支持するようにした構成であるが、本発明は、この他、様々な支持形態を備えた天井板にあっても適用可能なものである。例えば、図１６のように、照明装置付き天井板９１が、その主板部８２の四辺から夫々に内側へ折り曲がった後に上方へ起立する起立縁８３と、該起立縁８３の角部５の両側に、外方へ突出して鈎形状に屈曲して内外方向へ弾性傾動可能な支持鈎部８４とを備えた構成とする。この照明装置付き天井板９１は、この支持鈎部８４を、天井板用吊持杆ｆの下方から押し付けることにより、該支持鈎部８４が内方へ傾動した後に復帰して支持部ｇ上に載置されるようにして配設される。
【００５０】
尚、この照明装置付き天井板９１には、この主板部８２の角部５ａに、該角部５ａの両側縁に沿った二辺を備えた三角形状の照明カバー９３を備える照明装置９０を配設する。この照明装置９０は、上述した照明装置７０と同様に、照明カバー９３の遮蔽部９３ａがその周縁を上方へ傾斜する形状としてなり、該照明カバー９３上に設けたＬＥＤ１２の発光を拡散して、該遮蔽部９３ａの全域から照射できるようにしている。この照明カバー９３は、その嵌入壁部９３ｂが開口縁７に嵌入して所定の螺子により接合されており、ＬＥＤ１２を配設した基板１１を固定した基板支持体７４が主板部８２の上方から照明カバー９３に固定されてなる。このような照明装置付き天井板９１は、図１７のように、四枚をその照明装置９０が夫々に隣接するようにして配設することにより複合照明形態Ｈを天井に生成する。この複合照明形態Ｈは、上記した図１５の複合照明形態Ｇ’とほぼ同じ形態となっている。
【００５１】
さらに、図１８に示すように、照明装置付き天井板９１’として、主板部８２の四辺から一旦上方へ起立して内側へ折れ曲がり、上方へ起立する起立縁８３’と、該起立縁８３’の角部５の両側に、外方へ突出して鈎形状に屈曲して内外方向へ弾性傾動可能な支持鈎部８４とを備えたものともできる。この照明装置付き天井板９１’にあっても、上記した照明装置９０を備える構成として、四枚をそれぞれの照明装置９０を隣接するように配設することにより、複合照明形態Ｈ（図１７参照）を生成できる。ここで、この照明装置付き天井板９１’は、起立縁８３’の形状が異なる以外は、上記した照明装置付き天井板９１と同じ構成であり、詳細は省略した。尚、この図１８は、上記した図１６（ロ）と同様に、照明装置付き天井板９１’の照明装置９０を備えた角部５ａの一方の側縁に沿った断面図である。
【００５２】
尚、上記した照明装置付き天井板９１，９１’にあって、主板部８２の側縁端から内側へ折れ曲がる距離を様々に変化させることもできる。例えば、主板部の側縁端から内側へ折れ曲がった距離を、天井板用吊持杆ｆの水平方向幅の略半分の距離と等しくすることにより、天井を形成した場合には天井板同士に隙間がなくすことができる。この構成では、四つの照明装置を隣接してなる複合照明形態（図示省略）がほぼ四角形状の一体的な照明となる。
【００５３】
また、このような支持鈎部８４（図１６参照）により天井板用吊持杆ｆに配設する構成の天井板には、上述した、照明カバー１３の底面を主板部の底面と面一とする照明装置１０（図３参照）を配設してなる照明装置付き天井板（図示省略）とすることもできる。この他、上述した扇形状の照明装置３０，帯状の照明装置４０，円弧状の照明装置５０、線分状の照明装置６０を、夫々配設した照明装置付き天井板（図示省略）を構成しても良い。
【００５４】
また、上述した照明装置７０，９０の、角部５ａの両側端面に沿った形状の照明カバー７３，９３と同様に、扇形状、帯状、円弧状、線分状の各照明装置（図示省略）を形成することもできる。
【００５５】
本発明にあっては、上述した実施例に限定されるものではなく、その他の構成についても、本発明の趣旨の範囲内で適宜変更可能である。例えば、上述した照明装置１０，３０，４０，５０，６０中から複数種類が、単一の主板部２の角部５ａに配設する構成とすることも可能である。この場合には、同じ形状の照明装置が隣接するように配設するか、関連性のある形状の照明装置を隣接するように配設することによって、適正な複合照明形態を生成することが可能となる。
【図面の簡単な説明】
【００５６】
【図１】四枚の照明装置付き天井板１を組み合わせて複合照明形態Ａが生成された状態を表す天井の底面図である。
【図２】同上の照明装置付き天井板１の、照明装置１０が配設された角部５ａを表す拡大平面図である。
【図３】同上の照明装置付き天井板１の、（イ）照明装置１０が配設された角部５ａの側面図と、（ロ）該角部５ａのＸ−Ｘ断面図である。
【図４】照明装置付き天井板１を四枚組み合わせてなる複合照明形態Ａを、所定位置に複数生成した状態を表す天井の底面図である。
【図５】二枚の照明装置付き天井板１を組み合わせてなる複合照明形態Ｂを、所定位置に複数生成した状態の天井を表す底面図である。
【図６】照明装置付き天井板１を、照明装置１０の角部５ａが特定方向に位置するように配設した状態の天井を表す底面図である。
【図７】対角線上の二つの角部５ａ，５ａに照明装置１０を配設した照明装置付き天井板２１を表す天井の底面図である。
【図８】電灯１６を発光源とした照明装置１０’を備えた照明装置付き天井板１の、（イ）照明装置１０が配設された角部５ａの拡大平面図、及び（ロ）この角部５ａのＸ−Ｘ断面図である。
【図９】扇形状の照明装置３０を角部５ａに備えた照明装置付き天井板３１を組み合わせてなる複合照明形態Ｃを、所定位置に複数生成した天井を表す底面図である。
【図１０】帯状の照明装置４０を角部５ａに備えた照明装置付き天井板４１をを四枚組み合わせた複合照明形態Ｄを、所定位置に複数生成した天井を表す底面図である。
【図１１】円弧状の照明装置５０を角部５ａに備えた照明装置付き天井板５１をを四枚組み合わせた複合照明形態Ｅを、所定位置に複数生成した天井を表す底面図である。
【図１２】線分状の照明装置６０を角部５ａに備えた照明装置付き天井板６１を、（イ）四枚組み合わせた複合照明形態Ｆ、及び（ロ）同方向へ一直線状に組み合わせた状態を表す天井の底面図である。
【図１３】角部５ａの両側縁まで照明カバー７３が形成された照明装置７０を備えた照明装置付き天井板７１を、四枚組み合わせて複合照明形態Ｇが生成された状態を表す天井の底面図である。
【図１４】同上の照明装置７０を備えた照明装置付き天井板７１の、（イ）照明装置７０が配設された角部５ａの拡大平面図、及び（ロ）この角部５ａのＸ−Ｘ断面図である。
【図１５】照明カバー７３’が角部５ａの両側縁に沿って延成された照明装置７０’を備えた照明装置付き天井板７１’を、四枚組み合わせて複合照明形態Ｇ’が生成された状態を表す天井の底面図である。
【図１６】他の構成の主板部８２に照明装置９０を備えた照明装置付き天井板９１の、（イ）照明装置９０が配設された角部５ａの拡大平面図、及び（ロ）この角部５ａのＸ−Ｘ断面図である。
【図１７】同上の照明装置９０を備えた照明装置付き天井板９１を、四枚組み合わせて複合照明形態Ｈが生成された状態を表す天井の底面図である。
【図１８】さらに他の構成の照明装置付き天井板９１’の、照明装置９０を備えた角部５ａの断面図である。
【図１９】天井板用吊持杆ｆによる天井板９の組み付け状態を示す斜視図である。
【符号の説明】
【００５７】
１，２１，３１，４１，５１，６１，７１，９１  照明装置付き天井板
２，８２  主板部
３，８３  起立縁（側縁）
５，５ａ  角部
６  開口部
１０，３０，４０，５０，６０，７０，９０  照明装置
１２  発光ダイオードＬＥＤ（発光源）
１３，７３，９３  照明カバー
Ａ〜Ｈ  複合照明形態